(57)【要約】【課題】布製品を買い替えた方がいいかどうかを容易に把握することができる布製品識別システム及び布製品識別方法を提供する。【解決手段】一実施形態に係る布製品識別システムは、洗濯機１０によって洗濯される布製品を識別する布製品識別システム１である。布製品識別システム１は、布製品に取り付けられたＲＦＩＤタグ２と、洗濯機１０に取り付けられており、洗濯機１０で布製品を洗濯するときに、ＲＦＩＤタグ２から布製品の識別情報を読み取る読み取り部１１と、読み取り部１１によって読み取られた識別情報に紐づく布製品の洗濯履歴テーブルＤ２を更新する洗濯履歴更新部２１と、洗濯履歴更新部２１によって更新された洗濯履歴テーブルＤ２から布製品を買い替えた方がよいか否かを判定する判定部２２と、判定部２２によって判定された結果を報知する報知部１５と、を備える。【選択図】図１
2019000528.tif 000002
【特許請求の範囲】
【請求項１】
洗濯機によって洗濯される布製品を識別する布製品識別システムであって、
前記布製品に取り付けられたＲＦＩＤタグと、
前記洗濯機に取り付けられており、前記洗濯機で前記布製品を洗濯するときに、前記ＲＦＩＤタグから前記布製品の識別情報を読み取る読み取り部と、
前記読み取り部によって読み取られた前記識別情報に紐づく前記布製品の洗濯履歴を更新する洗濯履歴更新部と、
前記洗濯履歴更新部によって更新された洗濯履歴から前記布製品を買い替えた方がよいか否かを判定する判定部と、
前記判定部によって判定された結果を報知する報知部と、
を備える布製品識別システム。
【請求項２】
前記判定部は、前記洗濯履歴から算出された前記布製品の洗濯期間と、予め記憶されている前記布製品の使用可能期間と、を比較して、前記洗濯期間が前記使用可能期間を超えているときに前記布製品を買い替えた方がよいと判定する、
請求項１に記載の布製品識別システム。
【請求項３】
前記判定部は、前記洗濯履歴に含まれる前記布製品の洗濯回数と、予め記憶されている前記布製品の洗濯可能回数と、を比較して、前記洗濯回数が前記洗濯可能回数を超えているときに前記布製品を買い替えた方がよいと判定する、
請求項１又は２に記載の布製品識別システム。
【請求項４】
前記識別情報には、前記布製品の使用者を示す使用者情報が紐づけられており、
前記報知部は、前記結果と共に前記使用者情報を報知する、
請求項１〜３のいずれか一項に記載の布製品識別システム。
【請求項５】
洗濯機によって洗濯される布製品を識別する布製品識別方法であって、
前記洗濯機で前記布製品を洗濯するときに、前記布製品に取り付けられたＲＦＩＤタグから前記布製品の識別情報を読み取るステップと、
前記識別情報に紐づく前記布製品の洗濯履歴を更新するステップと、
前記洗濯履歴から前記布製品を買い替えた方がよいか否かを判定するステップと、
前記判定するステップで判定された結果を報知するステップと、
を備える布製品識別方法。
【発明の詳細な説明】
【技術分野】
【０００１】
本発明は、洗濯機によって洗濯される布製品を識別する布製品識別システム及び布製品識別方法に関する。
【背景技術】
【０００２】
従来から布製品を識別する装置は知られている。特開２００２−１９６６７２号公報には、衣料品に取り付けられた情報記録手段及び無線通信手段付きの商品タグと、洗濯機に設けられた無線通信手段と、を備えた商品取扱機器が記載されている。商品タグの情報記録手段には、衣料品に関する情報が記録されている。
【０００３】
衣料品に関する情報は、衣料品の製品名、色、材質、洗濯方法、及び洗濯履歴を含んでいる。衣料品が洗濯機に近づけられると、商品タグの無線通信手段は、洗濯機に設けられた無線通信手段と無線通信を始めて、衣料品に関する情報を洗濯機に向けて無線送信する。洗濯機に向けて無線送信された衣料品に関する情報は、洗濯機に設けられた表示部に表示される。そして、洗濯機は、取得した衣料品に関する情報に基づいて当該衣料品の洗濯を行う。
【先行技術文献】
【特許文献】
【０００４】
【特許文献１】特開２００２−１９６６７２号公報
【発明の概要】
【発明が解決しようとする課題】
【０００５】
ところで、衣類、タオル及び寝装品等の布製品は、例えば数年間使用すると、経年劣化によって汚れがとれなくなったり、破れたりすることがある。布製品の汚れがとれなくなったり破れたりすると布製品が使用できなくなることがある。このような現状において、布製品が使用できなくなる前に、布製品を買い替えた方がいいかどうかを把握したいという要求がある。前述した商品取扱機器では、洗濯機が、布製品から当該布製品に関する情報を取得し、取得した情報に基づいて洗濯を行う。しかしながら、この商品取扱機器では、布製品を買い替えた方がいいかを把握することはできない。
【０００６】
本発明は、布製品を買い替えた方がいいかどうかを容易に把握することができる布製品識別システム及び布製品識別方法を提供することを目的とする。
【課題を解決するための手段】
【０００７】
本発明の一側面に係る布製品識別システムは、洗濯機によって洗濯される布製品を識別する布製品識別システムであって、布製品に取り付けられたＲＦＩＤタグと、洗濯機に取り付けられており、洗濯機で布製品を洗濯するときに、ＲＦＩＤタグから布製品の識別情報を読み取る読み取り部と、読み取り部によって読み取られた識別情報に紐づく布製品の洗濯履歴を更新する洗濯履歴更新部と、洗濯履歴更新部によって更新された洗濯履歴から布製品を買い替えた方がよいか否かを判定する判定部と、判定部によって判定された結果を報知する報知部と、を備える。
【０００８】
この布製品識別システムでは、洗濯機に取り付けられた読み取り部が、布製品を洗濯するときに、布製品のＲＦＩＤタグから布製品の識別情報を読み取る。これにより、洗濯機において、どの布製品を洗濯するかが把握される。また、この布製品識別システムは、布製品の識別情報に紐づく布製品の洗濯履歴を更新する洗濯履歴更新部と、洗濯履歴から当該布製品の状態を判定する判定部と、判定部の判定結果を報知する報知部と、を備えている。洗濯履歴更新部によって更新された洗濯履歴から判定部が布製品を買い替えた方がよいか否かを判定し、報知部によって当該判定の結果が報知される。従って、洗濯機に布製品を投入して洗濯を行うときに、当該布製品を買い替えた方がよいか否かを把握することができる。よって、布製品の汚れがとれなくなったり布製品が破れたりして布製品を使用できなくなる前に、当該布製品を買い替えることができる。
【０００９】
また、判定部は、洗濯履歴から算出された布製品の洗濯期間と、予め記憶されている布製品の使用可能期間と、を比較して、洗濯期間が使用可能期間を超えているときに布製品を買い替えた方がよいと判定してもよい。この場合、判定部は、予め記憶されている使用可能期間と当該布製品の洗濯期間とを用いて、当該布製品を買い替えた方がよいか否かを判定する。判定部は、布製品の使用可能期間より洗濯期間が長いときに当該布製品を買い替えた方がよいと判定する。従って、布製品の判定をより高精度に行うことができる。
【００１０】
また、判定部は、洗濯履歴に含まれる布製品の洗濯回数と、予め記憶されている布製品の洗濯可能回数と、を比較して、洗濯回数が洗濯可能回数を超えているときに布製品を買い替えた方がよいと判定してもよい。この場合、判定部は、実際の布製品の洗濯回数が予め記憶されている布製品の洗濯可能回数よりも多いときに当該布製品を買い替えた方がよいと判定する。従って、布製品を買い替えた方がよいか否かをより高精度に判定することができる。
【００１１】
また、識別情報には、布製品の使用者を示す使用者情報が紐づけられており、報知部は、判定部によって判定された結果と共に使用者情報を報知してもよい。この場合、布製品の洗濯が行われるときに、布製品を買い替えた方がよいか否かと共に、当該布製品を使用している使用者の使用者情報が報知される。よって、使用者が互いに異なっていて且つ同種類の布製品が複数あるときに、布製品を洗濯機にかざすだけで当該布製品の使用者を把握することができる。また、布製品の使用者ごとに、当該布製品を買い替えた方がよいか否かを報知することができる。
【００１２】
本発明の一側面に係る布製品識別方法は、洗濯機によって洗濯される布製品を識別する布製品識別方法であって、洗濯機で布製品を洗濯するときに、布製品に取り付けられたＲＦＩＤタグから布製品の識別情報を読み取るステップと、識別情報に紐づく布製品の洗濯履歴を更新するステップと、洗濯履歴から布製品を買い替えた方がよいか否かを判定するステップと、判定するステップで判定された結果を報知するステップと、を備える。
【００１３】
この布製品識別方法では、洗濯機で布製品を洗濯するときに、布製品に取り付けられたＲＦＩＤタグから布製品の識別情報を読み取る。これによって、洗濯機において、どの布製品を洗濯するかが把握される。また、この布製品識別方法は、布製品の識別情報に紐づく布製品の洗濯履歴を更新し、更新した洗濯履歴から布製品を買い替えた方がよいか否かを判定した後に、当該判定の結果を報知する。従って、洗濯機に布製品を投入して洗濯を行うときに、当該布製品を買い替えた方がよいか否かを把握することができる。よって、布製品が使用できなくなる前に当該布製品を買い替えることができる。
【発明の効果】
【００１４】
本発明によれば、布製品を買い替えた方がいいかどうかを容易に把握することができる。
【図面の簡単な説明】
【００１５】
【図１】実施形態に係る布製品識別システムを示すブロック図である。
【図２】（ａ）は、シャツに取り付けられたＲＦＩＤタグを示す図である。（ｂ）は、タオルに取り付けられたＲＦＩＤタグを示す図である。
【図３】図１の布製品識別システムの読み取り部及び報知部を備える洗濯機を示す斜視図である。
【図４】（ａ）は、布製品識別テーブルの例を示す図である。（ｂ），（ｃ），（ｄ）は、洗濯履歴テーブルの例を示す図である。
【図５】実施形態に係る布製品識別方法を示すフローチャートである。
【発明を実施するための形態】
【００１６】
以下、本発明に係る布製品識別システム及び布製品識別方法の実施形態について図面を参照しながら説明する。図面の説明において、同一又は相当する要素には同一の符号を付し、重複する説明を適宜省略する。本明細書において、「洗濯機」とは、水を用いて洗濯を行う洗濯機、及び、水を用いずに布製品の折り畳みを行う洗濯物の折り畳み機の両方を含んでいる。
【００１７】
図１及び図２に示されるように、本実施形態に係る布製品識別システム１は、布製品に取り付けられたＲＦＩＤタグ２と、洗濯機１０に搭載された読み取り部１１とを用いることにより、洗濯機１０で洗濯される布製品を識別する。ＲＦＩＤタグ２は、例えば、布製品を識別する識別情報（ＩＤ）、布製品の洗濯履歴（布製品の洗濯回数、及び布製品の洗濯日時を含む）、並びに、布製品の使用者情報（当該布製品を使用する者の氏名、年齢、及び性別を含む）を記憶する。
【００１８】
ＲＦＩＤタグ２は、リーダライタを介してパーソナルコンピュータ等のデータ処理装置と通信可能である。例えば、ＲＦＩＤタグ２を読み取り器にかざすことによって布製品の情報がディスプレイに表示され、データ処理装置によって布製品の使用者情報等を登録することが可能となっている。
【００１９】
図２（ａ）に示されるように、ＲＦＩＤタグ２が取り付けられる布製品としては、例えば、シャツＢが挙げられる。ＲＦＩＤタグ２は、例えば、シャツＢの脇の下側に縫製によって取り付けられている。ＲＦＩＤタグ２は、防水部材に収容されていてもよいし、衝撃吸収材に収容されていてもよい。
【００２０】
また、ＲＦＩＤタグ２には、ＲＦＩＤタグ２を挟み込むゲル状部材と、ゲル状部材のそれぞれを上下から挟み込むフィルム部材と、が設けられていてもよい。この場合、ＲＦＩＤタグ２の衝撃吸収性と防水性とを高めることが可能である。また、ＲＦＩＤタグ２の表面にＲＦＩＤタグ２の種類を記すと共に、ＲＦＩＤタグ２を挟み込むフィルム部材を透明にしてもよい。この場合、ＲＦＩＤタグ２の種類を視認することが可能となる。ＲＦＩＤタグ２は、例えば、ＵＨＦ帯ＲＦＩＤタグであり、ＲＦＩＤタグ２の通信可能距離は１ｍ以上且つ３ｍ以下である。また、ＲＦＩＤタグ２は、シャツＢの外側に取り付けられるので、ＲＦＩＤタグ２が使用者の肌にあたることを抑制することができる。
【００２１】
図２（ｂ）に示されるように、ＲＦＩＤタグ２は、タオルＴに取り付けられてもよい。この場合、ＲＦＩＤタグ２は、タオルＴの隅部に取り付けられる。また、ＲＦＩＤタグ２が取り付けられる布製品は、シャツＢ又はタオルＴ以外のものであってもよく、下着、上着、シーツ、布カバー、靴下、ハンカチ、布団、カーテン、スカーフ、マフラー、タオルケット、又は帽子等の繊維製品であってもよい。
【００２２】
図３に示されるように、読み取り部１１は、洗濯機１０の投入口１２に設けられている。投入口１２は、洗濯機１０の水槽１３の内側面の上側部分に設けられる。洗濯機１０は、一例として、縦型洗濯機であるが、ドラム式洗濯機、又は洗濯物折り畳み機であってもよい。
【００２３】
洗濯機１０は、例えば、投入口１２を開閉する蓋部１４を備える。蓋部１４は、洗濯機１０の後側に位置する端部１０ａに対して上下に揺動自在に取り付けられた第１蓋部１４ａと、第１蓋部１４ａの手前側において投入口１２の上端に対して前後にスライド自在且つ揺動自在に取り付けられた第２蓋部１４ｂとを含む。
【００２４】
第２蓋部１４ｂを浮かせて第２蓋部１４ｂを後方に押すことにより、第１蓋部１４ａ及び第２蓋部１４ｂの接続部１４ｃが上方が移動して投入口１２が開放される。また、第２蓋部１４ｂを手前に引くことにより、接続部１４ｃが下方に移動すると共に第１蓋部１４ａ及び第２蓋部１４ｂが投入口１２を塞ぐ。
【００２５】
洗濯機１０の投入口１２の手前側には、前述したシャツＢ及びタオルＴ等を含む布製品の情報を洗濯機１０の使用者に報知する報知部１５が設けられている。報知部１５は、布製品の情報を表示するディスプレイである表示部１６と、布製品の情報を音声によって出力するスピーカである音声出力部１７と、を備える。
【００２６】
表示部１６は、例えば、洗濯機１０の上端であって、且つ投入口１２よりも洗濯機１０の手前側に設けられた液晶パネルである。表示部１６は、例えば、洗濯機１０による初洗濯時から現在までの洗濯期間、洗濯機１０の洗濯の工程（洗い、すすぎ、脱水及び乾燥等）を経た回数、並びに、布製品を買い替えた方がよいかどうかを布製品ごとに表示する。
【００２７】
音声出力部１７は、表示部１６の脇（例えば左側）に設けられる。音声出力部１７は、布製品が投入口１２に投入されたときに、当該布製品の洗濯期間及び洗濯回数を音声出力する。また、音声出力部１７は、当該布製品を買い替えた方がよいかどうかを布製品ごとに音声出力する。なお、表示部１６及び音声出力部１７の上記の機能は、必要に応じて停止させることができる。
【００２８】
図１に示されるように、読み取り部１１は、ＲＦＩＤタグ２の識別情報を布製品情報管理部２０に送信する。布製品情報管理部２０は、布製品の状態を管理するアプリケーションと、布製品の各種情報を記憶するデータベースＤを備える。布製品情報管理部２０は、例えば、ＣＰＵ（Central Processing Unit）、ＲＯＭ（Read OnlyMemory）及びＲＡＭ（Random Access Memory）を備えて構成されている。
【００２９】
布製品情報管理部２０の各機能は、ＲＯＭに記憶されているプログラムをＲＡＭにロードし、ＣＰＵで実行することによって実現される。布製品情報管理部２０は、インターネット若しくは専用線に接続されたサーバ、又は汎用のパーソナルコンピュータであってもよい。また、布製品情報管理部２０の形態及び配置場所については特に限定されない。
【００３０】
布製品情報管理部２０のデータベースＤには、少なくとも、布製品識別テーブルＤ１と、洗濯履歴テーブルＤ２（洗濯履歴）とが格納されている。図４（ａ）に示されるように、布製品識別テーブルＤ１は、布製品を識別する識別情報（ＩＤ）と、布製品の種別と、布製品の使用者情報と、布製品の使用可能期間と、布製品の洗濯可能回数と、を記憶する。布製品の種別、使用者情報、使用可能期間、及び洗濯可能回数は、識別情報（ＩＤ）に紐づけられている。
【００３１】
図４（ａ）に示される例では、シャツＢの使用者は「Ａ」、シャツＢの使用可能期間は３年、シャツＢの洗濯可能回数は２５０回とされている。使用者「Ａ」は、使用者の名前であってもよいし、家族の続柄（父、母、長男、長女、次男、次女等）であってもよい。なお、布製品識別テーブルＤ１の情報は、予め布製品情報管理部２０のデータベースＤに記憶されていてもよいし、ＲＦＩＤタグ２をかざすことによって更新されてもよい。
【００３２】
図４（ｂ）は、シャツＢの洗濯履歴テーブルＤ２の一例を示している。図４（ｃ）は、タオルＴの洗濯履歴テーブルＤ２の一例を示している。図４（ｄ）は、靴下Ｋ（不図示）の洗濯履歴テーブルＤ２の一例を示している。図４（ｂ）に示される例において、シャツＢは、２０１４年１月２３日８時３４分に最初に洗濯機１０によって洗濯され、２０１７年２月３日８時３８分に２３５回目の洗濯が実行されている。図４（ｃ）に示される例において、タオルＴは、２０１５年３月２３日８時２３分に最初に洗濯機１０によって洗濯され、２０１７年２月３日８時３８分に１６５回目の洗濯が実行されている。
【００３３】
図４（ｄ）に示される例において、靴下Ｋは、２０１６年８月１日８時１３分に最初に洗濯機１０によって洗濯され、２０１７年２月３日８時３８分に５８回目の洗濯が実行されている。このように、洗濯履歴テーブルＤ２は、布製品ごとに、洗濯日時及び洗濯回数を記憶している。
【００３４】
図１に示されるように、布製品情報管理部２０は、洗濯機１０と通信可能とされている。布製品情報管理部２０は、読み取り部１１によって読み取られた識別情報に紐づく布製品の洗濯履歴テーブルＤ２を更新する洗濯履歴更新部２１と、布製品を買い替えた方がよいか否かを判定する判定部２２と、を備える。
【００３５】
洗濯履歴更新部２１は、洗濯機１０によって布製品が洗濯されるときに、当該布製品の洗濯履歴テーブルＤ２を更新する。洗濯履歴更新部２１は、洗濯履歴テーブルＤ２に当該布製品の行を１追加する。具体例として、図４（ｂ）では、２０１７年２月７日８時１４分にシャツＢの２３６回目の洗濯が実行されたときに追加された行を示している。図４（ｃ）では、２０１７年２月７日８時１４分にタオルＴの１６６回目の洗濯が実行されたときに追加された行を示している。図４（ｄ）では、２０１７年２月７日８時１４分に靴下Ｋの５９回目の洗濯が実行されたときに追加された行を示している。
【００３６】
判定部２２は、布製品識別テーブルＤ１及び洗濯履歴テーブルＤ２に記憶されている情報から洗濯機１０に洗濯される布製品ごとに当該布製品を買い替えた方が良いか否かを判定する。判定部２２は、洗濯機１０の投入口１２に布製品が投入されたときに、当該布製品の洗濯期間が当該布製品の使用可能期間を超えている否かを判定すると共に、当該布製品の洗濯回数が当該布製品の洗濯可能回数を超えているか否かを判定する。
【００３７】
布製品の洗濯期間は、最後に洗濯したときの洗濯日時から１回目に洗濯したときの洗濯日時を減算することによって算出される。図４（ｂ）〜図４（ｄ）に示される例において、シャツＢの洗濯期間は３年超であり、タオルＴの洗濯期間は２年弱であり、靴下Ｋの洗濯期間は６月超である。
【００３８】
判定部２２は、当該布製品の洗濯期間が当該布製品の使用可能期間を超えているか、又は、当該布製品の洗濯回数が当該布製品の洗濯可能回数を超えている場合に、当該布製品を買い替えた方がよいと判定する。図４に示される各例において、シャツＢの洗濯期間（３年超）はシャツＢの使用可能期間（３年）を超えており、タオルＴの洗濯回数（１６６回）はタオルＴの洗濯可能回数（１６５回）を超えている。よって、判定部２２は、シャツＢ及びタオルＴに対し、買い替えた方がよいと判定する。
【００３９】
一方、靴下Ｋの洗濯期間（６月超）は靴下Ｋの使用可能期間（１年）を超えておらず、且つ、靴下Ｋの洗濯回数（５９回）は靴下Ｋの洗濯可能回数（８５回）を超えていない。よって、判定部２２は、靴下Ｋに対し、未だ買い替えなくてもよいと判定する。
【００４０】
判定部２２の判定結果は、布製品識別テーブルＤ１の識別情報（ＩＤ）、種別、及び使用者情報と共に、表示部１６に表示される。例えば、表示部１６は、シャツＢ及びタオルＴを買い替えた方がよい旨を表示すると共に、靴下Ｋは未だ買い替える必要はない旨を表示する。音声出力部１７は、判定部２２の判定結果を音声出力する。音声出力部１７は、例えば、シャツＢ及びタオルＴを買い替えた方がよい旨を音声出力する。
【００４１】
次に、本実施形態に係る布製品識別方法について図５のフローチャートを参照しながら説明する。図５は、布製品識別システム１を用いて行う布製品識別方法の一例を示している。以下では、洗濯機１０にシャツＢ、タオルＴ及び靴下Ｋが投入される例について説明する。
【００４２】
事前にＲＦＩＤタグ２をパーソナルコンピュータ等に接続された読み取り器にかざすことによって、布製品識別テーブルＤ１に各布製品の情報が記憶される。この状態で、まず洗濯機１０の投入口１２に布製品が投入される（ステップＳ１）。例えば、シャツＢ、タオルＴ及び靴下Ｋが投入口１２に投入される。
【００４３】
このとき、洗濯機１０の読み取り部１１による布製品の読み取りが行われる（ステップＳ２）。具体的には、シャツＢに取り付けられたＲＦＩＤタグ２、タオルＴに取り付けられたＲＦＩＤタグ２、及び靴下Ｋに取り付けられたＲＦＩＤタグ２、が読み取り部１１に読み取られる。
【００４４】
読み取り部１１がシャツＢ、タオルＴ及び靴下Ｋの識別情報を読み取った後には、これらの識別情報は読み取り部１１から布製品情報管理部２０に送信される。そして、洗濯履歴更新部２１は、読み取り部１１によって読み取られた識別情報に紐づく洗濯履歴を更新する（ステップＳ３）。具体的には、洗濯履歴更新部２１は、シャツＢの洗濯履歴テーブルＤ２、タオルＴの洗濯履歴テーブルＤ２、及び靴下Ｋの洗濯履歴テーブルＤ２に対し、洗濯日時及び洗濯回数の行を一行追加する。
【００４５】
次に、判定部２２は、布製品の洗濯期間が布製品の使用可能期間を超えているか否かを判定する（ステップＳ４）。このとき、シャツＢに対して、洗濯期間がシャツＢの使用期間である３年を超えていると判定される。このように、布製品の洗濯期間が布製品の使用可能期間を超えていると判定された場合には、ステップＳ５に移行する。
【００４６】
一方、布製品の洗濯期間が布製品の使用可能期間を超えていないと判定された場合にはステップＳ６に移行する。ステップＳ６において、判定部２２は、布製品の洗濯回数が当該布製品の洗濯可能回数を超えているか否かを判定する。このとき、タオルＴに対して、洗濯回数がタオルＴの洗濯可能回数である１６５回を超えていると判定される。このように、布製品の洗濯回数が布製品の洗濯可能回数を超えていると判定された場合には、ステップＳ５に移行する。
【００４７】
また、布製品の洗濯回数が布製品の洗濯可能回数を超えていないと判定された場合には、当該布製品（靴下Ｋ）は未だ買い替える必要がない旨を表示部１６に表示して一連の工程を終了する。一方、ステップＳ５では、表示部１６に布製品を買い替えた方がよい旨を表示すると共に音声出力部１７によってその旨を音声出力して、布製品の買い替えの提案を行う。例えば、シャツＢ及びタオルＴを買い替えた方がよい旨を表示部１６及び音声出力部１７によって報知する。その後、一連の工程を終了する。
【００４８】
次に、本実施形態に係る布製品識別システム１及び布製品識別方法の作用効果について説明する。
【００４９】
本実施形態に係る布製品識別システム１及び布製品識別方法では、洗濯機１０に取り付けられた読み取り部１１が、布製品を洗濯するときに、布製品のＲＦＩＤタグ２から布製品の識別情報（ＩＤ）を読み取る。これにより、洗濯機１０において、どの布製品を洗濯するかが把握される。
【００５０】
また、布製品識別システム１は、布製品の識別情報に紐づく布製品の洗濯履歴テーブルＤ２を更新する洗濯履歴更新部２１と、洗濯履歴テーブルＤ２から当該布製品の状態を判定する判定部２２と、判定部２２の判定結果を報知する報知部１５と、を備えている。よって、洗濯履歴更新部２１によって更新された洗濯履歴テーブルＤ２から判定部２２が布製品を買い替えた方がよいか否かを判定し、報知部１５によって当該判定の結果が報知される。従って、洗濯機１０に布製品を投入して洗濯を行うときに、当該布製品を買い替えた方がよいか否かを把握することができる。よって、布製品の汚れがとれなくなったり布製品が破れたりして布製品を使用できなくなる前に、当該布製品を買い替えることができる。
【００５１】
また、判定部２２は、洗濯履歴テーブルＤ２から算出された布製品の洗濯期間と、予め記憶されている布製品の使用可能期間と、を比較して、洗濯期間が使用可能期間を超えているときに布製品を買い替えた方がよいと判定する。従って、判定部２２は、予め記憶されている使用可能期間と当該布製品の洗濯期間とを用いて、当該布製品を買い替えた方がよいか否かを判定する。判定部２２は、布製品の使用可能期間より洗濯期間が長いときに当該布製品を買い替えた方がよいと判定する。従って、布製品の判定を高精度に行うことができる。
【００５２】
また、判定部２２は、洗濯履歴テーブルＤ２に含まれる布製品の洗濯回数と、予め記憶されている布製品の洗濯可能回数と、を比較して布製品を買い替えた方がよいか否かを判定する。よって、判定部２２は、実際の布製品の洗濯回数と、予め記憶されている布製品の洗濯可能回数とを用いて当該布製品を買い替えた方がよいか否かを判定する。従って、布製品を買い替えた方がよいか否かをより高精度に判定することができる。
【００５３】
また、識別情報には、布製品の使用者を示す使用者情報が紐づけられており、報知部１５は、判定部２２によって判定された結果と共に使用者情報を報知する。具体的には、表示部１６は、シャツＢの所有者は「Ａ」であり、タオルＴの所有者は「Ｂ」であることを表示してもよい。従って、布製品の洗濯が行われるときに、布製品を買い替えた方がよいか否かと共に、当該布製品を使用している使用者の使用者情報が報知される。
【００５４】
よって、使用者が互いに異なっていて且つ同種類の布製品が複数あるときに、布製品を洗濯機１０にかざすだけで当該布製品の使用者を把握することができる。また、布製品の使用者ごとに、当該布製品を買い替えた方がよいか否かを報知することができる。
【００５５】
以上、本発明に係る布製品識別システム及び布製品識別方法の実施形態について説明したが、本発明は、前述の実施形態に限定されるものではなく、各請求項に記載した要旨を変更しない範囲で変形し、又は他のものに適用したものであってもよい。すなわち、布製品識別システムの各構成、及び布製品識別方法の各工程の順序は、各請求項の要旨を変更しない範囲で適宜変更可能である。
【００５６】
例えば、前述の実施形態では、洗濯機１０に設けられる報知部１５について説明した。しかしながら、報知部は、洗濯機１０以外に設けられていてもよい。報知部は、例えば、パーソナルコンピュータ、タブレット端末、スマートフォン等の携帯端末、又はウェアラブル端末等、洗濯機１０とは別の機器に設けられていてもよい。この場合、例えば、布製品の使用者「Ａ」及び使用者「Ｂ」の端末に、当該布製品を買い替えた方がよいか否かを報知することができる。
【００５７】
また、前述の実施形態では、報知部１５が表示部１６及び音声出力部１７を含む例について説明した。ここで、表示部１６による表示の内容及び態様と、音声出力部１７による音声出力の内容及び態様は適宜変更可能である。また、表示部１６及び音声出力部１７のいずれかを省略することも可能である。
【符号の説明】
【００５８】
１…布製品識別システム、２…ＲＦＩＤタグ、１０…洗濯機、１０ａ…端部、１１…読み取り部、１２…投入口、１３…水槽、１４…蓋部、１４ａ…第１蓋部、１４ｂ…第２蓋部、１５…報知部、１６…表示部、１７…音声出力部、２０…布製品情報管理部、２１…洗濯履歴更新部、２２…判定部、Ｂ…シャツ（布製品）、Ｄ…データベース、Ｄ１…布製品識別テーブル、Ｄ２…洗濯履歴テーブル（洗濯履歴）、Ｋ…靴下（布製品）、Ｔ…タオル（布製品）。
【図１】
2019000528.tif 000003
【図２】
2019000528.tif 000004
【図３】
2019000528.tif 000005
【図４】
2019000528.tif 000006
【図５】
2019000528.tif 000007